(57)【要約】      （修正有）【課題】別途鉢などを必要としないで、土の温度維持をより簡単にして、また、土の乾燥を防止して、より手軽に、植物を栽培する袋入りの培土を提供する。【解決手段】培土は、５リットル乃至４０リットルの植物栽培用の培土である。平袋１１は、水を透過しない樹脂からなるフィルムであって、筒状のフィルムの２つの開口の端部が平行する直線状に溶着されて閉じられて、培土を格納している。平袋１１の平面のいずれか一方に、直径８ｃｍ乃至１０ｃｍの円または楕円の円周の全部または一部および円または楕円の中心を通り交差する２つの弦の全部または一部を表す印３２が３つ乃至５つ印刷されている。平袋１１の側面に、直径０．５ｃｍ乃至２ｃｍの円の円周の全部または一部を表す印が、平面に対して平行となる直線的に並ぶように３つ乃至５つ印刷されている。【選択図】図２
0003204653.tif 000002
【実用新案登録請求の範囲】
【請求項１】
５リットル乃至４０リットルの植物栽培用の培土と、
水を透過しない樹脂からなるフィルムであって、筒状のフィルムの２つの開口の端部が平行する直線状に溶着されて閉じられて、前記培土を格納している平袋と
からなり、
前記平袋の外側の面のうち、前記平袋の２つの端部のそれぞれが溶着されている向きの直線であるシール線に平行する向きの面であって、前記平袋の２つの端部のそれぞれの前記シール線に挟まれている面である平面のいずれか一方に、直径８ｃｍ乃至１０ｃｍの円または楕円の円周の全部または一部および前記円または前記楕円の中心を通り交差する２つの弦の全部または一部を表す第１の印が３つ乃至５つ印刷され、
前記平袋の外側の面のうち、前記シール線の向きに交差する向きの面である２つの側面のそれぞれの側面上に、前記第１の印が印刷されている平面からの距離に比較して、前記第１の印が印刷されている平面に対向している平面からの距離が短くなる位置に、直径０．５ｃｍ乃至２ｃｍの円の円周の全部または一部を表す第２の印が、前記平面に対して平行となる直線的に並ぶように３つ乃至５つ印刷されている
袋入りの培土。
【請求項２】
請求項１に記載の袋入りの培土において、
前記第１の印は、直径９ｃｍの円の円周の全部または一部および前記円の中心を通り直交する２つの弦の全部または一部を表し、
前記第２の印は、直径１ｃｍの円の円周の全部または一部を表す
袋入りの培土。
【請求項３】
請求項１に記載の袋入りの培土において、
前記平袋は、ポリエチレンから形成されている
袋入りの培土。
【請求項４】
請求項１に記載の袋入りの培土において、
前記第１の印が印刷されている平面に、花壇を模した模様が印刷されている
袋入りの培土。
【請求項５】
水を透過しない樹脂からなるフィルムであって、筒状のフィルムの２つの開口のうちの１つの開口の端部が直線状に溶着されて閉じられている、５リットル乃至４０リットルの内容量の平袋において、
外側の面のうち、端部が溶着されている向きの直線であるシール線に平行する向きの面である平面のいずれか一方に、直径８ｃｍ乃至１０ｃｍの円または楕円の円周の全部または一部および前記円または前記楕円の中心を通り交差する２つの弦の全部または一部を表す第１の印が３つ乃至５つ印刷され、
平面のうちの他方の平面上に、前記シール線に直交する向きの直線状の２つの端部である側端部のそれぞれに対し、前記側端部からの距離が１ｃｍ乃至５ｃｍである位置に、直径０．５ｃｍ乃至２ｃｍの円の円周の全部または一部を表す第２の印が、前記側端部に対して平行となる直線的に並ぶように３つ乃至５つ印刷されている
平袋。
【考案の詳細な説明】
【技術分野】
【０００１】
本考案は袋入りの培土および平袋に関し、特に、植物の栽培に適した袋入りの培土および平袋に関する。
【背景技術】
【０００２】
肥料の成分を含む、植物の栽培に適した培土が袋に入れて提供されている。
【０００３】
また、培土袋の上を切り取り、花苗などを植えて栽培することも行われている。
【０００４】
従来、防根シートを用い、必要に応じて吸水、保水、排水の機能を持ったシートを加えてこれらのシートを接合して袋状とした内部に培土を封入し、少なくとも防根シート部分を植栽面とした植栽培土収納袋と、植栽培土収納袋を少なくとも保形できるように取り付けられた保形部材とからなる植栽培土生育装置も提案されている（例えば、特許文献１参照）。
【先行技術文献】
【特許文献】
【０００５】
【特許文献１】特開２０１０−２２０５９１号公報
【考案の概要】
【考案が解決しようとする課題】
【０００６】
しかしながら、袋入りの培土を利用する場合、培土が格納される袋を開けて、培土を袋から取り出して、鉢に詰めて、栽培する植物の苗を鉢に植え込む必要があり、作業が面倒であった。
【０００７】
また、培土袋の上を切り取り、花苗などを植えて栽培する場合、土の露出面が広く、土の温度が下がりやすく、また、温度を上げようと直射日光に当てると、土が乾いてしまい、栽培が困難になることも多かった。
【０００８】
さらに、特許文献１の植栽培土生育装置では、保形部材が必要となり、コストもかかるので、高価になる。
【０００９】
本考案は、このような状況に鑑みてなされたものであり、別途鉢などを必要としないで、土の温度維持をより簡単にして、また、土の乾燥を防止して、より手軽に、植物を栽培できるようにするものである。
【課題を解決するための手段】
【００１０】
本考案の第１の側面の袋入りの培土は、５リットル乃至４０リットルの植物栽培用の培土と、水を透過しない樹脂からなるフィルムであって、筒状のフィルムの２つの開口の端部が平行する直線状に溶着されて閉じられて、培土を格納している平袋とからなり、平袋の外側の面のうち、平袋の２つの端部のそれぞれが溶着されている向きの直線であるシール線に平行する向きの面であって、平袋の２つの端部のそれぞれのシール線に挟まれている面である平面のいずれか一方に、直径８ｃｍ乃至１０ｃｍの円または楕円の円周の全部または一部および円または楕円の中心を通り交差する２つの弦の全部または一部を表す第１の印が３つ乃至５つ印刷され、平袋の外側の面のうち、シール線の向きに交差する向きの面である２つの側面のそれぞれの側面上に、第１の印が印刷されている平面からの距離に比較して、第１の印が印刷されている平面に対向している平面からの距離が短くなる位置に、直径０．５ｃｍ乃至２ｃｍの円の円周の全部または一部を表す第２の印が、平面に対して平行となる直線的に並ぶように３つ乃至５つ印刷されている。
【００１１】
本考案の第１の側面の袋入りの培土においては、第２の印の位置に、鉛筆やボールペン、千枚通しやドライバまたはハサミやカッターなどで、孔を開けたうえで、第１の印が印刷されている平面を上側にして袋入りの培土を載置し、第１の印の位置に、ハサミやカッターなどで、円形か十字状に切り裂きを付けて、その切り裂きに苗を植え込むと、そのまま苗を栽培することができる。このように、面倒な作業が不要で、簡単に、より手軽に、植物を栽培できる。この場合、第１の印の位置の切り裂き以外に培土が露出せず、平袋が水を透過しない樹脂からなるフィルムにより形成されているので、培土の温度が下がりにくく、また、培土の乾燥を防止することができる。また、５リットル乃至４０リットルの培土が平袋に格納されているので、熱容量が比較的大きく、培土の温度が変動しにくい。さらに、直射日光が当たっても、培土の乾燥を防止することができる。以上のように、別途鉢を必要としないで、土の温度維持をより簡単にして、また、土の乾燥を防止して、より手軽に、植物を栽培できるようになる。
【００１２】
第１の印は、直径９ｃｍの円の円周の全部または一部および円の中心を通り直交する２つの弦の全部または一部を表し、第２の印は、直径１ｃｍの円の円周の全部または一部を表すようにすることができる。一般に販売されている花苗、いちご、葉物野菜などの苗は、径が９ｃｍから１０ｃｍ程度のポットで販売されていることが多いので、このような苗をそのまま、第１の印の位置の切り裂きに植え込むことができる。また、第２の印を、直径１ｃｍの円の円周の全部または一部を表すようにすると、これを目印に直径１ｃｍの孔を開けると、培土が漏れることなく、培土に含まれる水のうち、不要な水を十分に排出させることができる。
【００１３】
また、平袋を、ポリエチレンから形成することができる。このようにすることで、袋入りの培土を使用した後に平袋を焼却しても、塩化水素などの有害物質が発生しない。
【００１４】
第１の印が印刷されている平面に、花壇を模した模様を印刷することができる。このようにすることで、見栄え良く植物を栽培することができる。
【００１５】
本考案の第２の側面の平袋は、水を透過しない樹脂からなるフィルムであって、筒状のフィルムの２つの開口のうちの１つの開口の端部が直線状に溶着されて閉じられている、５リットル乃至４０リットルの内容量の平袋であって、外側の面のうち、端部が溶着されている向きの直線であるシール線に平行する向きの面である平面のいずれか一方に、直径８ｃｍ乃至１０ｃｍの円または楕円の円周の全部または一部および円または楕円の中心を通り交差する２つの弦の全部または一部を表す第１の印が３つ乃至５つ印刷され、平面のうちの他方の平面上に、シール線に直交する向きの直線状の２つの端部である側端部のそれぞれに対し、側端部からの距離が１ｃｍ乃至５ｃｍである位置に、直径０．５ｃｍ乃至２ｃｍの円の円周の全部または一部を表す第２の印が、側端部に対して平行となる直線的に並ぶように３つ乃至５つ印刷されている。
【００１６】
本考案の第２の側面の平袋においては、培土を格納して、残りの開口を直線状に溶着して閉じれば、袋入りの培土として提供できる。この袋入りの培土では、第２の印の位置に、鉛筆やボールペン、千枚通しやドライバまたはハサミやカッターなどで、孔を開けたうえで、第１の印が印刷されている平面を上側にして袋入りの培土を載置し、第１の印の位置に、ハサミやカッターなどで、円形か十字状に切り裂きを付けて、その切り裂きに苗を植え込むと、そのまま苗を栽培することができる。面倒な作業が不要で、簡単に、より手軽に、植物を栽培できる。この場合、第１の印の位置の切り裂き以外に培土が露出せず、平袋が水を透過しない樹脂からなるフィルムにより形成されているので、培土の温度が下がりにくく、また、培土の乾燥を防止することができる。さらに、直射日光が当たっても、培土の乾燥を防止することができる。以上のように、培土を格納して、残りの開口を直線状に溶着して閉じて、袋入りの培土として提供すれば、別途鉢を必要としないで、格納されている培土である土の温度維持をより簡単にして、また、土の乾燥を防止して、より手軽に、植物を栽培できるようになる。
【考案の効果】
【００１７】
以上のように、本考案の第１の側面によれば、別途鉢などを必要としないで、土の温度維持をより簡単にして、また、土の乾燥を防止して、より手軽に、植物を栽培できる。
【００１８】
また、本考案の第２の側面によれば、培土を格納して、残りの開口を直線状に溶着して閉じて、袋入りの培土として提供すれば、別途鉢を必要としないで、土の温度維持をより簡単にして、また、土の乾燥を防止して、より手軽に、植物を栽培できる。
【図面の簡単な説明】
【００１９】
【図１】袋入りの培土１の使用状態の例を示す図である。
【図２】袋入りの培土１の構成の一例を示す平面図である。
【図３】袋入りの培土１の構成の一例を示す側面図である。
【図４】袋入りの培土１の構成の一例を示す断面図である。
【図５】平袋１０１の構成の一例を示す平面図である。
【図６】平袋１０１の構成の一例を示す底面図である。
【考案を実施するための形態】
【００２０】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本考案の第１の側面の袋入りの培土は、５リットル乃至４０リットルの植物栽培用の培土（例えば、図４の培土１２）と、水を透過しない樹脂からなるフィルムであって、筒状のフィルムの２つの開口の端部が平行する直線状に溶着されて閉じられて、培土を格納している平袋（例えば、図４の平袋１１）とからなり、平袋の外側の面のうち、平袋の２つの端部のそれぞれが溶着されている向きの直線であるシール線に平行する向きの面であって、平袋の２つの端部のそれぞれのシール線に挟まれている面である平面のいずれか一方に、直径８ｃｍ乃至１０ｃｍの円または楕円の円周の全部または一部および円または楕円の中心を通り交差する２つの弦の全部または一部を表す第１の印（例えば、図２の印３２）が３つ乃至５つ印刷され、平袋の外側の面のうち、シール線の向きに交差する向きの面である２つの側面のそれぞれの側面上に、第１の印が印刷されている平面からの距離に比較して、第１の印が印刷されている平面に対向している平面からの距離が短くなる位置に、直径０．５ｃｍ乃至２ｃｍの円の円周の全部または一部を表す第２の印（例えば、図３の印３３）が、平面に対して平行となる直線的に並ぶように３つ乃至５つ印刷されている。
【００２２】
本考案の第２の側面の平袋は、水を透過しない樹脂からなるフィルムであって、筒状のフィルムの２つの開口のうちの１つの開口の端部が直線状に溶着されて閉じられている、５リットル乃至４０リットルの内容量の平袋であって、外側の面のうち、端部が溶着されている向きの直線であるシール線に平行する向きの面である平面のいずれか一方に、直径８ｃｍ乃至１０ｃｍの円または楕円の円周の全部または一部および円または楕円の中心を通り交差する２つの弦の全部または一部を表す第１の印（例えば、図５の印１３２）が３つ乃至５つ印刷され、平面のうちの他方の平面上に、シール線に直交する向きの直線状の２つの端部である側端部のそれぞれに対し、側端部からの距離が１ｃｍ乃至５ｃｍである位置に、直径０．５ｃｍ乃至２ｃｍの円の円周の全部または一部を表す第２の印（例えば、図６の印１３３）が、側端部に対して平行となる直線的に並ぶように３つ乃至５つ印刷されている。
【００２３】
以下、本考案の一実施の形態を図１乃至図６を参照して説明する。図１は、本考案に係る袋入りの培土の一例である袋入りの培土１の使用状態の例を示す図である。図２乃至図４は、それぞれ、袋入りの培土１の構成の一例を示す平面図、側面図、および断面図である。なお、図４は、図２中のＡＡ’線における断面を示す。
【００２４】
なお、袋入りの培土１に対して前後の方向をＹ軸で図示し、上下の方向をＺ軸で図示し、左右の方向をＸ軸で図示する。また、以下、Ｘ軸方向のうち、図２中の左側を単に左側と称し、Ｘ軸方向のうち、図２中の右側を単に右側と称する。さらに、以下、Ｙ軸方向のうち、図２中の下側を単に前側と称し、Ｙ軸方向のうち、図２中の上側を単に後側と称する。さらにまた、以下、Ｚ軸方向のうち、図３中の上側を単に上側と称し、Ｚ軸方向のうち、図３中の下側を単に下側と称する。また、Ｚ軸方向を、単に上下方向とも称し、Ｘ軸およびＹ軸に平行な面に沿う方向を単に水平方向または横方向とも称する。なお、図５および図６を参照して後述する平袋１０１においても同様である。
【００２５】
図１に示されるように、袋入りの培土１には、花壇、鉢、またはプランターと同様に、花苗、葉物野菜、ハーブやいちごなどの栽培される植物２が植えられる。植物２は、いわゆる栽培植物である。袋入りの培土１は、平袋１１および培土１２からなる。平袋１１は、培土１２を格納している。培土１２は、植物栽培用の土である。袋入りの培土１は、地面、フラワースタンド、ラック、またはボックスなどの上に載置される。袋入りの培土１の平袋１１の表面には、切り裂くための目印になる印が印刷されている。平袋１１の表面に、印を目印に、ハサミやカッターなどで、円形か十字状に切り裂きを付けて、袋入りの培土１に、その切り裂きから苗を植え込むと、そのまま苗を栽培することができる。すなわち、袋入りの培土１によれば、平袋１１が花壇、鉢、またはプランターの役割を果たす。
【００２６】
次に、図２乃至図４を参照して、袋入りの培土１の構成を説明する。平袋１１は、水を透過しない樹脂からなるフィルムから形成される。例えば、平袋１１は、ポリエチレンから形成されている。このようにすることで、使用後に平袋を焼却しても、塩化水素などの有害物質が発生しない。図２および図３に示されるように、平袋１１は、筒状のフィルムの２つの開口の端部が平行する直線状のシール部３１において溶着されて閉じられている。図４に示されるように、平袋１１は、植物栽培用の培土１２を格納している。培土１２は、バーク堆肥、ココピート、腐葉土、またはブラックピートなどから造られる。例えば、培土１２は、ｐＨ６．８程度の弱酸性とされる。また、肥料濃度を示す培土１２の電気伝導率（１：５ＶＶ法）は、０．４４ｍＳ／ｃｍ程度とされる。
【００２７】
培土１２の容積は、５リットル乃至４０リットルである。培土１２の容積を、５リットル乃至４０リットルとしたのは、１または複数の苗を簡単に手軽に栽培できるようにするためである。５リットル未満にすると、温度の変化が大きく、乾きやすくなる。４０リットルを超えると、重くなりすぎてしまい、取り扱いが不便になる。培土１２の容積を、１４リットルとすると、温度維持や、乾燥の防止、手軽に持ち運びできるなどの観点から最もバランスが良い。シール部３１は、仮想的な直線であるシール線上を閉じている。なお、図２乃至図４においては、２つのシール部３１がＹ軸に沿った方向となる配置での袋入りの培土１の構成が示されている。
【００２８】
図２に示されるように、平袋１１の上側の面には、印３２が印刷されている。例えば、印３２は、グラビア印刷またはオフセット印刷により印刷される。印３２は、位置と領域とを示す目印である。印３２は、直径８ｃｍ乃至１０ｃｍの円または楕円を表す。例えば、印３２は、黒色または白色などの実線で円または楕円の円周を表す。また、例えば、印３２は、黒色または白色などの点線、破線または鎖線で円または楕円の円周を表す。すなわち、印３２は、直径８ｃｍ乃至１０ｃｍの円または楕円の円周の全部または一部を表す。また、印３２は、交差する２本の線で直径８ｃｍ乃至１０ｃｍの円または楕円の直径を表す。例えば、印３２は、黒色または白色などの交差する２本の実線で円または楕円の直径を表す。また、例えば、黒色または白色などの交差する２本の点線、破線または鎖線で円または楕円の直径を表す。すなわち、印３２は、円または楕円の中心を通り交差する２つの弦の全部または一部を表す。このようにすることで、印３２を目印に、苗を植え込むために適切な大きさで切り裂くことができる。例えば、印３２の部分のうち、円または楕円の円周の部分に沿って、丸く切り裂くことで、平袋１１が邪魔にならずに、苗を植え込むことができる。また、例えば、印３２の部分のうち、円または楕円の中心を通り交差する２つの弦の部分に沿って、十字状に切り裂くことにより、苗を植え込んだ後に、切り裂かれた部分のフィルムによって苗の周囲の培土１２が覆われるので、培土１２に含まれる水分の蒸散をより妨げることができ、培土１２の乾燥をより防止することができる。
【００２９】
平袋１１の上側の面には、３つ乃至５つの印３２が印刷されている。これにより、苗の大きさや苗である栽培する植物の種類や品種などにより、３つ乃至５つの印３２の中から、適当な数の印３２を選んで、切り裂いて、苗を植え込むことができる。従って、栽培に適した、適切な間隔で苗を植え込むことができる。
【００３０】
なお、印３２は、直径９ｃｍの円の円周の全部または一部および円の中心を通り直交する２つの弦の全部または一部を表すようにすることが、より好ましい。一般に販売されている花苗、いちご、葉物野菜の苗は、径が９ｃｍから１０ｃｍ程度のポット（いわゆる、３号から３．５号のポッド）で販売されていることが多いので、印３２で表される直径９ｃｍの円の円周または直交する２つの弦に沿って、切り裂けば、このような苗をそのまま、印３２の位置の切り裂きに植え込むことができる。苗の植え込みで、平袋１１のフィルムが邪魔にならず、また、培土１２が余分に露出しない。
【００３１】
また、平袋１１の上側の面、すなわち、印３２が印刷されている面には、煉瓦、バークチップ、グランドカバーである植物、または苔などの画像からなる、花壇を模した模様が印刷されている。このようにすることで、袋入りの培土１を用いて、見栄え良く植物を栽培することができる。
【００３２】
図３に示されるように、平袋１１の前面には、印３３が印刷されている。図示は省略するが、平袋１１の後面にも、前面と同様に印３３が印刷されている。例えば、印３３は、グラビア印刷またはオフセット印刷により印刷される。印３３は、位置と領域とを示す目印である。印３３は、直径０．５ｃｍ乃至２ｃｍの円または楕円を表す。例えば、印３３は、黒色または白色などの実線で円または楕円の円周を表す。また、例えば、印３３は、黒色または白色などの点線、破線または鎖線で円または楕円の円周を表す。すなわち、印３３は、直径０．５ｃｍ乃至２ｃｍの円の円周の全部または一部を表す。このようにすることで、印３３を目印に孔を開けることで、培土１２に含まれる余分な水を抜くための水抜き孔を造ることができる。例えば、印３３を目印に、鉛筆やボールペン、千枚通しやドライバまたはハサミやカッターなどで孔を開けて、水抜き孔を造ることができる。
【００３３】
印３３は、平袋１１の前面および後面の下側に印刷されている。すなわち、印３２は、印３２が印刷されている平面からの距離に比較して、印３２が印刷されている平面に対向している平面からの距離が短くなる位置に、印刷されている。このようにすることで、培土１２に含まれる水を適切な量とすることができ、また、培土１２の下側により多くの水を含ませて、培土１２の上側の水分を比較的少なくできるので、水分の過多による根腐れ等を防止することができる。また、印３３は、平袋１１の上側の面に対して平行となる直線的に並ぶように３つ乃至５つ印刷されている。これにより、苗である栽培する植物の種類や品種などや、配置場所、または気温や日射などにより、３つ乃至５つの印３３の中から、適当な数の印３３を選んで、孔を開けることができる。従って、排水性を調整することができ、培土１２に含まれる水の量を調整することができる。
【００３４】
このように、培土１２は、５リットル乃至４０リットルの植物栽培用の培土である。平袋１１は、水を透過しない樹脂からなるフィルムであって、筒状のフィルムの２つの開口の端部が平行する直線状に溶着されて閉じられて、培土１２を格納している。
【００３５】
平袋１１の外側の面のうち平袋１１の２つの端部のそれぞれが溶着されている向きの直線であるシール線（仮想的な線である）に平行する向きの面であって、平袋１１の２つの端部のそれぞれのシール線に挟まれている面である平面のいずれか一方に、直径８ｃｍ乃至１０ｃｍの円または楕円の円周の全部または一部および円または楕円の中心を通り交差する２つの弦の全部または一部を表す印３２が３つ乃至５つ印刷されている。
【００３６】
平袋１１の外側の面のうち、シール線の向きに交差する向きの面である２つの側面のそれぞれの側面上に、印３２が印刷されている平面からの距離に比較して、印３２が印刷されている平面に対向している平面からの距離が短くなる位置に、直径０．５ｃｍ乃至２ｃｍの円の円周の全部または一部を表す印３３が、平面に対して平行となる直線的に並ぶように３つ乃至５つ印刷されている。
【００３７】
印３３の位置に、鉛筆やボールペン、千枚通しやドライバまたはハサミやカッターなどで、孔を開けたうえで、印３２が印刷されている平面を上側にして袋入りの培土１を載置し、印３２の位置に、ハサミやカッターなどで、円形か十字状に切り裂きを付けて、その切り裂きに苗を植え込むと、そのまま苗を栽培することができる。このように、面倒な作業が不要で、簡単に、より手軽に、植物を栽培できる。この場合、印３２の位置の切り裂き以外に培土１２が露出せず、平袋１１が水を透過しない樹脂からなるフィルムにより形成されているので、培土１２の温度が下がりにくく、また、培土１２の乾燥を防止することができる。また、５リットル乃至４０リットルの培土１２が平袋１１に格納されているので、熱容量が比較的大きく、培土１２の温度が変動しにくい。さらに、夏場は、培土１２の温度が上昇しやすいので、日陰に移動することを勧めるが、仮に、直射日光が当たって培土１２の温度が上昇したとしても、印３２の位置の切り裂き以外に培土１２が露出していないので、培土１２の乾燥を防止することができる。以上のように、別途鉢を必要としないで、培土１２の温度維持をより簡単にして、また、培土１２の乾燥を防止して、より手軽に、植物を栽培できるようになる。
【００３８】
印３２は、直径９ｃｍの円の円周の全部または一部および円の中心を通り直交する２つの弦の全部または一部を表し、印３３は、直径１ｃｍの円の円周の全部または一部を表すようにすることができる。一般に販売されている花苗、いちご、葉物野菜の苗は、径が９ｃｍから１０ｃｍ程度のポット（いわゆる、３号から３．５号のポッド）で販売されていることが多いので、このような苗をそのまま、印３２の位置の切り裂きに植え込むことができる。また、印３３を、直径１ｃｍの円の円周の全部または一部を表すようにすると、これを目印に直径１ｃｍの孔を開けると、培土１２が漏れることなく、培土１２に含まれる水のうち、不要な水を十分に排出させることができる。このように、印３３を、直径１ｃｍ前後の円の円周の全部または一部を表すようにすることができる。
【００３９】
また、平袋１１を、ポリエチレンから形成することができる。このようにすることで、袋入りの培土１の使用後に平袋１１を焼却しても、塩化水素などの有害物質が発生しない。
【００４０】
印３２が印刷されている平面に、花壇を模した模様を印刷することができる。このようにすることで、袋入りの培土１を用いて、見栄え良く植物を栽培することができる。
【００４１】
次に、図５および図６を参照して、本考案に係る平袋の一例である平袋１０１について説明する。図５および図６は、それぞれ、平袋１０１の構成の一例を示す平面図および底面図である。平袋１０１は、培土を格納するための袋である。
【００４２】
平袋１０１は、水を透過しない樹脂からなるフィルムから形成される。例えば、平袋１０１は、ポリエチレンから形成されている。このようにすることで、使用後に平袋を焼却しても、塩化水素などの有害物質が発生しない。
【００４３】
図５および図６に示されるように、平袋１０１は、筒状のフィルムの２つの開口のうちの１つの開口の端部がシール部１３１によって直線状に溶着されて閉じられて形成されている。筒状のフィルムの２つの開口のうちの他方の開口は、培土が格納された後に、溶着されて閉じられる。平袋１０１の内容量は、５リットル乃至４０リットルとされる。
【００４４】
シール部１３１は、仮想的な直線であるシール線上を閉じている。なお、図５および図６においては、シール部１３１がＹ軸に沿った方向となる配置での平袋１０１の構成が示されている。
【００４５】
図５に示されるように、平袋１０１の上側の面には、３つ乃至５つの印１３２が印刷されている。例えば、印１３２は、グラビア印刷またはオフセット印刷により印刷される。印１３２は、直径８ｃｍ乃至１０ｃｍの円または楕円の円周の全部または一部を表す。また、印１３２は、円または楕円の中心を通り交差する２つの弦の全部または一部を表す。
【００４６】
なお、印１３２は、直径９ｃｍの円の円周の全部または一部および円の中心を通り直交する２つの弦の全部または一部を表すようにすることが、より好ましい。
【００４７】
また、平袋１０１の上側の面、すなわち、印１３２が印刷されている面には、花壇を模した模様が印刷されている。
【００４８】
図６に示されるように、平袋１０１の下側の面には、印１３３が印刷されている。例えば、印１３３は、グラビア印刷またはオフセット印刷により印刷される。印１３３は、直径０．５ｃｍ乃至２ｃｍの円の円周の全部または一部を表す。
【００４９】
印１３３は、シール部１３１に直交する向きの直線状の２つの端部である側端部のそれぞれに対し、側端部からの距離が１ｃｍ乃至５ｃｍである位置に印刷されている。このようにすることで、培土を格納して、残りの開口を直線状に溶着して閉じて、袋入りの培土として提供された場合、平袋１０１の前面および後面の下側に印１３３が配置されることになり、印１３３の位置に鉛筆やボールペン、千枚通しやドライバまたはハサミやカッターなどで、孔を開けると、平袋１０１に格納された培土に含まれる水を適切な量とすることができ、また、培土の下側により多くの水を含ませて、培土の上側の水分を比較的少なくできるので、水分の過多による根腐れ等を防止することができる。
【００５０】
また、印１３３は、シール部１３１に直交する向きの直線状の２つの端部である側端部に対して平行となる直線的に並ぶように３つ乃至５つ印刷されている。これにより、培土を格納して、残りの開口を直線状に溶着して閉じて、袋入りの培土として提供された場合、苗である栽培する植物の種類や品種などや、配置場所、または気温や日射などにより、３つ乃至５つの印１３３の中から、適当な数の印１３３を選んで、孔を開けることができる。従って、排水性を調整して、培土に含まれる水の量を調整することができる。
【００５１】
このように、平袋１０１は、水を透過しない樹脂からなるフィルムであって、筒状のフィルムの２つの開口のうちの１つの開口の端部が直線状に溶着されて閉じられている、５リットル乃至４０リットルの内容量の平袋である。平袋１０１の外側の面のうち、端部が溶着されている向きの直線であるシール線に平行する向きの面である平面のいずれか一方に、直径８ｃｍ乃至１０ｃｍの円または楕円の円周の全部または一部および円または楕円の中心を通り交差する２つの弦の全部または一部を表す印１３２が３つ乃至５つ印刷されている。
【００５２】
平袋１０１の外側の面のうち、端部が溶着されている向きの直線であるシール線に平行する向きの面である平面のうちの他方の平面上に、シール線に直交する向きの直線状の２つの端部である側端部のそれぞれに対し、側端部からの距離が１ｃｍ乃至５ｃｍである位置に、直径０．５ｃｍ乃至２ｃｍの円の円周の全部または一部を表す印１３３が、側端部に対して平行となる直線的に並ぶように３つ乃至５つ印刷されている。
【００５３】
平袋１０１に、培土を格納して、残りの開口を直線状に溶着して閉じれば、袋入りの培土として提供できる。平袋１０１に培土を格納した場合、印１３３の位置に、鉛筆やボールペン、千枚通しやドライバまたはハサミやカッターなどで、孔を開けたうえで、印１３２が印刷されている平面を上側にして袋入りの培土を載置し、印１３２の位置に、ハサミやカッターなどで、円形か十字状に切り裂きを付けて、その切り裂きに苗を植え込むと、そのまま苗を栽培することができる。面倒な作業が不要で、簡単に、より手軽に、植物を栽培できる。この場合、印１３２の位置の切り裂き以外に培土が露出せず、平袋１０１が水を透過しない樹脂からなるフィルムにより形成されているので、格納している培土の温度が下がりにくく、また、格納している培土の乾燥を防止することができる。さらに、直射日光が当たっても、格納している培土の乾燥を防止することができる。以上のように、培土を格納して、残りの開口を直線状に溶着して閉じて、袋入りの培土として提供すれば、別途鉢を必要としないで、土の温度維持をより簡単にして、また、土の乾燥を防止して、より手軽に、植物を栽培できるようになる。
【００５４】
なお、平袋１１は、ポリエチレンから形成されていると説明したが、塩化ビニルなどの水を透過しない樹脂で形成することができる。
【００５５】
また、印３２、印３３、印１３２、または印１３３には、切り裂きやすくするため、ミシン目を設けたり、印３２、印３３、印１３２、または印１３３の部分を他の部位に比較して薄く形成したりすることもできる。
【００５６】
なお、印３２、印３３、印１３２、または印１３３は、実線、点線、破線または鎖線で表すと説明したが、これに限らず、円または楕円の円周と交差する直径とを色を塗り分けたり透明度を変えたりして表すようにしてもよい。また、印３２、印３３、印１３２、または印１３３は、黒色または白色に限らず、所望の色で表すことができる。さらに、印３２、印３３、印１３２、または印１３３は、人が手で触ってわかるように、盛り上がりや凹みを付けるなどして、形状により表すようにしてもよい。
【００５７】
また、本考案の実施の形態は、上述した実施の形態に限定されるものではなく、本考案の要旨を逸脱しない範囲において種々の変更が可能である。
【符号の説明】
【００５８】
１  袋入りの培土，  １１  平袋，  １２  培土，  ３１  シール部，  ３２  印，  ３３  印，  １０１  平袋，  １３１  シール部，  １３２  印，  １３３  印
【図１】
0003204653.tif 000003
【図２】
0003204653.tif 000004
【図３】
0003204653.tif 000005
【図４】
0003204653.tif 000006
【図５】
0003204653.tif 000007
【図６】
0003204653.tif 000008